(57)【要約】【課題】  換気口ユニット１０のネジ部のコーキング処理を不要にする。【解決手段】  換気口ユニット１０は、下台座２０と上カバー５０とから構成される。下台座２０は、換気用開口１１１を囲み仕切り板１１０の上面に密着固定される水平板枠部３０と、水平板枠部３０から上方に立設された筒状の縦枠部４０とから一体形成され、縦枠部４０に囲まれた中央部屋１１内に臨む位置でネジ８１により仕切り板１１０に固定される。従って、台座ネジ部９１には水が浸入しない。上カバー５０は、縦枠部４０の高さ方向の中間位置に形成された支持部４２にてネジ８２により固定される。従って、カバーネジ部９２に水がかかっても、縦枠部４０によって中央部屋１１への水の浸入が阻止される。【選択図】  図４
2015007508.tif 000002
【特許請求の範囲】
【請求項１】
本体ケーシングが仕切り板により上下に仕切られて、下段にエンジンによって駆動される圧縮機が配置された機械室、上段に熱交換器および熱交換用ファンが配置された熱交換器室がそれぞれ形成されるとともに、前記仕切り板に、前記機械室と前記熱交換器室とを連通し前記機械室内の熱気を前記熱交換器室に逃がす一方で、前記熱交換器室から前記機械室内への水の浸入を防ぐ換気口ユニットを備えた空調装置の室外機において、
前記換気口ユニットは、
前記仕切り板に形成された換気用開口を囲み前記仕切り板の上面に台座固定用ネジによって密着固定される水平板枠部と、前記水平板枠部から上方に向けて縦壁を立設し前記換気用開口を囲む筒状の縦枠部とを一体形成した下台座と、
前記下台座の上方から、少なくとも前記縦枠部の縦壁によって囲まれる範囲を通気可能に覆って前記下台座に固定される上カバーと
を備え、
前記台座固定用ネジは、前記上カバーに覆われて前記下台座の縦枠部で囲まれた部屋内に臨む位置で前記水平板枠部および前記仕切り板を貫通して設けられることを特徴とする空調装置の室外機。
【請求項２】
前記下台座は、前記縦枠部に前記上カバーを支持固定するための支持部が形成され、前記支持部において上カバー固定用ネジによって上カバーを固定するとともに、前記上カバー固定用ネジが前記上カバーを貫通する貫通孔よりも高い位置にまで延びた壁を有し、前記壁によって前記貫通孔から浸入した水が前記部屋内に入ることを阻止することを特徴とする請求項１記載の空調装置の室外機。
【請求項３】
前記下台座は、前記縦枠部の高さ方向の中間位置で前記部屋の外側に突出した支持部が形成され、
前記上カバーは、前記縦枠部の縦壁によって囲まれる範囲より広い範囲を上方から覆う板状の上面カバー部と、前記上面カバー部の周囲から一体的に下方に延設されて前記縦枠部の外側面との間に通気路を形成する板状の側面カバー部とを備えるとともに、前記側面カバー部の高さ方向の中間位置に前記支持部の上面に載置され貫通孔が穿設された載置平面が形成され、前記上カバー固定用ネジを前記貫通孔に挿通させて前記載置平面にて前記支持部にネジ締め固定されることを特徴とする請求項１または２記載の空調装置の室外機。
【発明の詳細な説明】
【技術分野】
【０００１】
本発明は、空調装置の室外機に関し、特に、室外機の下段に設けられる機械室と上段に設けられる熱交換器室とを連通して、機械室の熱気を熱交換器室に逃がす換気部の構造に関する。
【背景技術】
【０００２】
従来から、特許文献１，２に提案されているように、圧縮機をエンジンによって駆動するタイプの空調装置において、室外機の下段に機械室、上段に熱交換器室を配置したものが知られている。例えば、図７に示すように、室外機１００は、本体ケーシング１０１が仕切り板１１０によって上下に仕切られており、下段の機械室１２０に、エンジン、圧縮機等の機械類１２１が配設され、上段の熱交換器室１３０に、冷媒と外気とを熱交換させるための熱交換器１３１および熱交換用ファン１３２が配設される。熱交換器室１３０は、前面および左右側面に熱交換器１３１を備え、熱交換器１３１に囲まれる中央部が熱交換後の気体が通過する通路となっている。
【０００３】
機械室１２０の内部は、エンジンの作動により高温となる。そのため、仕切り板１１０には機械室１２０と熱交換器室１３０とを連通する換気用開口１１１が形成されており、熱交換用ファン１３２を利用して、機械室１２０内の熱気を熱交換器室１３０に吸い上げて室外機１００の外に放出できるように構成されている。この換気用開口１１１には、機械室１２０内の熱気を熱交換器室１３０に逃がす一方で、熱交換器室１３０から機械室１２０内への水の浸入を防ぐ換気口ユニット２００が設けられる。換気口ユニット２００は、仕切り板１１０に形成された換気用開口１１１の周囲に固定される四角枠状の下台座２１０と、下台座２１０を上から覆うように下台座２１０に支持固定される上カバー２２０とから構成される。
【０００４】
図８は、換気口ユニット２００の斜視図を表す。また、図９は、下台座の平面図を表し、図１０は、図９におけるＡ−Ａライン位置での換気口ユニット２００（仕切り板１１０に換気口ユニット２００が固定された状態）の縦断面、図１１は、図９におけるＢ−Ｂライン位置での換気口ユニット２００（仕切り板１１０に換気口ユニット２００が固定された状態）の縦断面を表す。下台座２１０は、中央に四角い開口２１１が形成され仕切り板１１０の上面にシール材２３０を介して載置される水平板枠部２１２と、水平板枠部２１２の内周端から上方に向けて延設される四角筒状の縦枠部２１３とから構成される。水平板枠部２１２と縦枠部２１３とは、樹脂により一体形成される。縦枠部２１３には、その４つのコーナーに上カバー２２０を支持するための支持柱２１４が形成されている。この支持柱２１４の頂部には、ネジ孔２１５が形成されている。縦枠部２１３は、隣り合う支持柱２１４のあいだとなる４つの縦壁２１６において、それぞれ上部に切欠２１７が形成されている。従って、縦枠部２１３のコーナーを除く４つの縦壁２１６の高さは、支持柱２１４の高さよりも低くなっている。また、水平板枠部２１２には、下台座２１０を仕切り板１１０に固定するための貫通孔２１８が所定の間隔で形成されている。下台座２１０は、仕切り板１１０に形成された換気用開口１１１の周囲を水平板枠部２１２で囲むように仕切り板１１０の上面に配置されるとともに、水平板枠部２１２の裏面と仕切り板１１０の上面との間にシール材２３０を介在させた状態で、貫通孔２１８からネジ２３１を挿通して、ネジ２３１を締め付けることにより仕切り板１１０に固定される。
【０００５】
上カバー２２０は、換気用開口１１１を含めて下台座２１０を上から覆う四角い平板である上面カバー部２２１と、上面カバー部２２１の周囲から下方に向けて延設される四角筒状の側面カバー部２２２とから構成される。上面カバー部２２１と側面カバー部２２２とは、樹脂により一体形成される。上面カバー部２２１には、上カバー２２０を下台座２１０の支持柱２１４に固定するための貫通孔２２４が４つのコーナーに形成されている。上カバー２２０は、下台座２１０が仕切り板１１０に固定された状態で下台座２１０の上に取り付けられる。この場合、上カバー２２０は、貫通孔２２４が支持柱２１４のネジ孔２１５に向かい合うように位置決めされた状態で、ネジ２３２を貫通孔２２４に挿通して締め付けることにより下台座２１０に固定される。
【０００６】
このようにして換気口ユニット２００が仕切り板１１０に取り付けられると、換気口ユニット２００には、上カバー２２０の上面カバー部２２１と下台座２１０の縦枠部２１３とによって囲まれた部屋２２５が仕切り板１１０の換気用開口１１１に臨むように形成される。機械室１２０で発生した熱気は、図１１に示すように、換気用開口１１１からこの部屋２２５に入り、切欠２１７から部屋２２５の外に排出される。そして、熱気は、縦枠部２１３と側面カバー部２２２との間に形成された通気路２２６を通って下方に案内された後に熱交換器室１３０に排出される。熱交換器室１３０に排出された熱気は、熱交換用ファン１３２により吸い込まれて機外に排出される。
【先行技術文献】
【特許文献】
【０００７】
【特許文献１】特開２００９−６８７４３号公報
【特許文献２】特開２００９−６８７５０号公報
【発明の概要】
【０００８】
（発明が解決しようとする課題）
このように換気口ユニット２００を設けることにより、水が熱交換器室１３０から通気路２２６および部屋２２５を通って機械室１２０に入ることはないが、図１０に矢印Ａ１にて示すように、下台座２１０を固定するためのネジ２３１が挿通される貫通孔２１８、および、仕切り板１１０に形成されたネジ孔２１２から水が浸入して機械室１２０に入るおそれがある。また、図１０に矢印Ａ２にて示すように、上カバー２２０を固定するためのネジ２３２が挿通される貫通孔２２４から水が浸入して部屋２２５→換気用開口１１１→機械室１２０という経路で機械室１２０に水が入るおそれもある。このため、ネジ取付部２４１，２４２には、貫通孔２１８，２２４を塞ぐようにコーキング剤が塗布される。従って、コーキングに伴うコストアップを招いてしまう。また、コーキング処理では１００％のシール保証が難しい。
【０００９】
本発明は、上記課題に対処するためになされたもので、換気口ユニットにおけるコーキングを少なくできるようにすることを目的とする。
【００１０】
（課題を解決するための手段）
上記課題を解決する本発明の特徴は、本体ケーシングが仕切り板（１１０）により上下に仕切られて、下段にエンジンによって駆動される圧縮機が配置された機械室（１２０）、上段に熱交換器および熱交換用ファンが配置された熱交換器室（１３０）がそれぞれ形成されるとともに、前記仕切り板に、前記機械室と前記熱交換器室とを連通し前記機械室内の熱気を前記熱交換器室に逃がす一方で、前記熱交換器室から前記機械室内への水の浸入を防ぐ換気口ユニット（１０）を備えた空調装置の室外機において、
前記換気口ユニット（１０）は、
前記仕切り板に形成された換気用開口（１１１）を囲み前記仕切り板の上面に台座固定用ネジ（８１）によって密着固定される水平板枠部（３０）と、前記水平板枠部から上方に向けて縦壁を立設し前記換気用開口を囲む筒状の縦枠部（４０）とを一体形成した下台座（２０）と、
前記下台座の上方から、少なくとも前記縦枠部の縦壁によって囲まれる範囲を通気可能に覆って前記下台座に固定される上カバー（５０）とを備え、
前記台座固定用ネジは、前記上カバーに覆われて前記下台座の縦枠部で囲まれた部屋（１１）内に臨む位置で前記水平板枠部および前記仕切り板を貫通して設けられることにある。
【００１１】
本発明の空調装置の室外機は、本体ケーシングが仕切り板によって上下に仕切られ、下段に機械室が、上段に熱交換器室が形成される。仕切り板には、換気用開口が形成されており、この換気用開口に換気口ユニットが設けられる。換気口ユニットは、下台座と上カバーとを備えており、機械室と熱交換器室とを連通し機械室内の熱気を熱交換器室に逃がす一方で、熱交換器室から機械室内への水の浸入を防ぐ。
【００１２】
下台座は、水平板枠部と縦枠部とにより一体形成されている。水平板枠部は、仕切り板に形成された換気用開口を囲み仕切り板の上面に台座固定用ネジによって密着固定される。例えば、水平板枠部は、仕切り板の上面にシール材を介して載置され、台座固定用ネジによって仕切り板に水密に固定される。縦枠部は、水平板枠部から上方に向けて縦壁を立設し換気用開口を囲む筒状に形成されている。上カバーは、台座の上方から、少なくとも縦枠部の縦壁によって囲まれる範囲を通気可能に覆って下台座に固定される。従って、換気口ユニット内には、上カバーに覆われ、周囲が縦枠部で囲まれた部屋が形成される。この部屋は、外部と連通して通気可能に形成されるが、上カバーで覆われているため内部に水が入らない。
【００１３】
台座固定用ネジは、この部屋内に臨む位置で水平板枠部および仕切り板を貫通して設けられ、仕切り板の上面に水平板枠部を固定する。従って、台座固定用ネジが設けられる部位には水がかからないため、台座固定用ネジが水平板枠部および仕切り板を貫通する部位から水が浸入して機械室に入ることはない。これにより、本発明によれば、台座固定用ネジの取付部のコーキング処理が不要となる。従って、低コスト化を図ることができる。また、換気口ユニットのシール性能を向上させることができる。
【００１４】
本発明の他の特徴は、前記下台座は、前記縦枠部に前記上カバーを支持固定するための支持部（４２，４２’）が形成され、前記支持部において上カバー固定用ネジ（８２）によって上カバーを固定するとともに、前記上カバー固定用ネジが前記上カバーを貫通する貫通孔（７５，７５’）よりも高い位置にまで延びた壁（４１ａ，４２ｂ）を有し、前記壁によって前記貫通孔から浸入した水が前記部屋内に入ることを阻止することにある。
【００１５】
本発明の室外機に設けられる換気口ユニットにおいては、下台座に形成された支持部に上カバーが上カバー固定用ネジによって固定される。上カバー固定用ネジによって上カバーを固定する場合、上カバーに上カバー固定用ネジが貫通することになるため、この貫通部分から水が部屋に侵入することを防止する必要がある。そのために、下台座は、カバー固定用ネジが上カバーを貫通する貫通孔よりも高い位置にまで延びた壁を有しており、この壁によって、貫通孔から浸入した水が部屋内に入ることを阻止する。つまり、貫通孔から部屋までのあいだの水の伝わる経路中に、貫通孔よりも高い位置にまで延びた壁を設けることにより、貫通孔から浸入した水が部屋に伝わる経路を遮断する。従って、本発明によれば、上カバーをネジで固定する場合においても、上カバー固定用ネジの取付部のコーキング処理が不要となる。従って、低コスト化を図ることができる。また、換気口ユニットのシール性能を向上させることができる。
【００１６】
本発明の他の特徴は、前記下台座は、前記縦枠部の高さ方向の中間位置で前記部屋の外側に突出した支持部（４２）が形成され、
前記上カバーは、前記縦枠部の縦壁によって囲まれる範囲より広い範囲を上方から覆う板状の上面カバー部（６０）と、前記上面カバー部の周囲から一体的に下方に延設されて前記縦枠部の外側面との間に通気路（１２）を形成する板状の側面カバー部（７０）とを備えるとともに、前記側面カバー部の高さ方向の中間位置に前記支持部の上面に載置され貫通孔（７５）が穿設された載置平面（７２ａ）が形成され、前記上カバー固定用ネジ（８２）を前記貫通孔に挿通させて前記載置平面にて前記支持部にネジ締め固定されることにある。
【００１７】
本発明の室外機に設けられる換気口ユニットにおいては、下台座に形成された支持部に上カバーが上カバー固定用ネジによって固定される。支持部は、縦枠部の高さ方向の中間位置で部屋の外側に突出して形成される。上カバーは、上面カバー部と側面カバー部とを備えている。上面カバー部は、縦枠部の縦壁によって囲まれる範囲より広い範囲を上方から覆う板状体であり、側面カバー部は、上面カバー部の周囲から一体的に下方に延設されて縦枠部の外側面との間に通気路を形成する板状体である。この側面カバー部には、その高さ方向の中間位置に載置平面が形成されている。上カバーは、この載置平面を下台座の支持部の上面に載置させることにより、支持部に支持される。載置平面を支持部によって支持することで、例えば、上面カバー部を縦枠部の先端から上方に離した位置に設定して、部屋の上部周囲を開放して通気路と連通させることができる。
【００１８】
載置平面には、貫通孔が穿設されている。上カバーは、載置平面を支持部の上面に載置した状態で上カバー固定用ネジを貫通孔に挿通させて支持部にネジ締め固定される。上カバーに水がかかった場合、貫通孔に水が浸入する可能性がある。しかし、本発明においては、縦枠部の高さ方向の中間位置に支持部が形成されているため、縦枠部が支持部の上面よりも高い位置にまで延びた壁となっている。このため、貫通孔に浸入した水が支持部の上面を伝わっても、縦枠部が、水が部屋に入ることを阻止する。従って、本発明によれば、上カバーをネジで固定する場合においても、上カバー固定用ネジの取付部のコーキング処理が不要となる。従って、低コスト化を図ることができる。また、換気口ユニットのシール性能を向上させることができる。
【００１９】
尚、上記説明においては、発明の理解を助けるために、実施形態に対応する発明の構成に対して、実施形態で用いた符号を括弧書きで添えているが、本発明の各構成要件は前記符号によって規定される実施形態に限定されるものではない。
【図面の簡単な説明】
【００２０】
【図１】本実施形態の空調装置の室外機の一部破断概略斜視図である。
【図２】実施形態の換気口ユニットの斜視図である。
【図３】実施形態の下台座の平面図である。
【図４】図３のａ−ａ位置における換気ユニットの縦断面図である。
【図５】図３のｂ−ｂ位置における換気ユニットの縦断面図である。
【図６】変形例の換気ユニットの縦断面図である。
【図７】従来例の空調装置の室外機の一部破断概略斜視図である。
【図８】従来例の換気口ユニットの斜視図である。
【図９】従来例の下台座の平面図である。
【図１０】図９のＡ−Ａ位置における換気ユニットの縦断面図である。
【図１１】図９のＢ−Ｂ位置における換気ユニットの縦断面図である。
【発明を実施するための形態】
【００２１】
以下、本発明の一実施形態に係る空調装置の室外機について図面を用いて説明する。図１は、室外機の一部破断概略斜視図、図２は、室外機に設けられる換気口ユニットの斜視図である。本実施形態の室外機１は、図７に示した従来装置としての室外機１００において、換気口ユニット２００に代えて換気口ユニット１０を備えたものであり、換気口ユニット以外の構成については従来装置と同様である。従って、従来装置と同じ構成については、図面に従来装置と同一の符号を付して説明を省略する。
【００２２】
換気口ユニット１０は、仕切り板１１０に形成された換気用開口１１１を覆うように設けられ、機械室１２０で発生した熱気を熱交換器室１３０に逃がす一方で、熱交換器室１３０から機械室１２０内への水の浸入を防ぐものである。換気口ユニット１０は、仕切り板１１０に形成された換気用開口１１１の周囲に固定される四角枠状の下台座２０と、下台座２０および換気用開口１１１を上から覆うように配置されて下台座２０に支持固定される上カバー５０とから構成される。図３は、下台座２０の平面図を表し、図４は、図３におけるａ−ａライン位置での換気口ユニット１０（仕切り板１１０に換気口ユニット１０が固定された状態）の縦断面、図５は、図３におけるｂ−ｂライン位置での換気口ユニット１０（仕切り板１１０に換気口ユニット１０が固定された状態）の縦断面を表す。
【００２３】
下台座２０は、中央に四角い開口３１が形成された四角枠状の水平板枠部３０と、水平板枠部３０の外周端から上方に向けて延設される四角筒状の縦枠部４０とから構成される。水平板枠部３０と縦枠部４０とは、樹脂により一体形成される。水平板枠部３０は、換気用開口１１１の周囲で、仕切り板１１０の上面にシール材８３を介して載置される部分となる。水平板枠部３０には、下台座２０を仕切り板１１０に固定するための貫通孔３２が所定の間隔で形成されている。
【００２４】
縦枠部４０は、水平板枠部３０の４辺の外周端から上方に向けて延設された４つの縦壁４１から構成される。各縦壁４１には、幅方向の中央位置で外方向に突出した支持部４２が形成されている。尚、換気口ユニット１０における外方向（外側）とは、換気口ユニット１０の中心軸（換気用開口１１１の中心軸）に対して水平方向に離れていく方向を表し、内方向（内側）とは、その反対方向を表す。支持部４２は、図４に示すように、各縦壁４１の高さ方向の中間位置に形成されているため、支持部４２における上面４２ａよりも上方にまで縦壁４１が延びていることになる。この支持部４２における上面４２ａよりも上方に延びた縦壁４１の部分を、特に、上部縦壁４１ａと呼ぶ。各支持部４２には、上カバー５０を固定するためのネジ孔４３が縦方向に貫通して形成されている。
【００２５】
下台座２０は、仕切り板１１０に形成された換気用開口１１１を水平板枠部３０で囲むように仕切り板１１０の上面に配置されるとともに、水平板枠部３０の裏面と仕切り板１１０の上面との間にパッキン等のシール材８３を介在させた状態で、ネジ８１を貫通孔３２に挿通して締め付けることにより、仕切り板１１０に形成された貫通孔１１３にネジ８１が螺合して仕切り板１１０に固定される。水平板枠部３０の裏面と仕切り板１１０の上面との間には、全体にわたってシール材８３が配設されるため、貫通孔３２の周囲においてもシール材８３が設けられる。以下、ネジ８１によって下台座２０が仕切り板１１０に固定される部分を台座ネジ部９１と呼ぶ。
【００２６】
上カバー５０は、換気用開口１１１を含めて下台座２０を上から覆う四角い平板である上面カバー部６０と、上面カバー部６０の周囲から下方に延設される四角筒状の側面カバー部７０とから構成される。上面カバー部６０と側面カバー部７０とは、樹脂により一体形成される。側面カバー部７０は、高さ方向の中間位置において外方向に拡がって段状に形成されている。つまり、側面カバー部７０は、上面カバー部６０の４辺の外周端から下方に向かって延びた４つの上側面壁７１と、各上側面壁７１の下端から外方向に向かって水平に延びた４つの中段水平壁７２と、各中段水平壁７２の外周端から下方に向かって延びた４つの下側面壁７３とから一体的に形成されている。上側面壁７１の高さ方向の長さは、下台座２０の上部縦壁４１ａの高さ方向の長さよりも長く形成されている。
【００２７】
側面カバー部７０の４側面には、それぞれ幅方向の中間位置に連結用凹部７４が形成されている。この連結用凹部７４は、下台座２０の支持部４２に上カバー５０を連結する部位となる。連結用凹部７４は、中段水平壁７２の幅方向における中間部を内側に水平に延ばして形成される中段水平載置壁７２ａと、上側面壁７１の幅方向の中間部を内側に窪ませて円筒状に形成される上凹側面壁７１ａとから構成される。中段水平載置壁７２ａの内側端は、円弧状に形成されて、上凹側面壁７１ａの下端と一体的に連結する。中段水平載置壁７２ａには、上カバー５０を下台座２０に固定するための貫通孔７５が形成されている。中段水平載置壁７２ａは、本発明の載置平面に相当する。
【００２８】
上カバー５０は、下台座２０が仕切り板１１０に固定された状態で、下台座２０の各支持部４２の上面４２ａに中段水平載置壁７２ａを載置することにより、下台座２０の全体を上から覆うように位置決めされる。上カバー５０を下台座２０に載置するとき、下台座２０の上部縦壁４１ａが上凹側面壁７１ａの内側面に当接して、連結用凹部７４を支持部４２に案内する。つまり、上部縦壁４１ａと上凹側面壁７１ａとが上カバー５０の取付時のガイド部材として機能する。従って、簡単に上カバー５０を下台座２０の所定の位置に載置することができる。
【００２９】
この載置状態においては、支持部４２のネジ孔４３と中段水平載置壁７２ａの貫通孔７５とがほぼ整合している。従って、そのままネジ８２を貫通孔７５に挿通して締め付けることにより、ネジ８２がネジ孔４３に螺合して、上カバー５０が下台座２０の支持部４２に支持固定される。以下、ネジ８２によって上カバー５０が下台座２０の支持部２０に固定される部分をカバーネジ部９２と呼ぶ。
【００３０】
図３において、下台座２０に対する上カバー５０の相対平面位置を二点鎖線にて示している。図示するように、上カバー５０の各上側面壁７１は、下台座２０の各縦壁４１から距離Ｄ１だけ外側となる位置にて形成され、各下側面壁７３は、下台座２０の各縦壁４１から距離Ｄ２だけ外側となる位置にて形成される。従って、上カバー５０は、下台座２０の縦壁４１で囲まれる範囲よりも広い範囲を上から覆っている。
【００３１】
このようにして換気口ユニット１０が仕切り板１１０に取り付けられると、換気口ユニット１０内には、上カバー５０によって覆われ縦枠部４０で囲まれた部屋１１（中央部屋１１と呼ぶ）が換気用開口１１１に臨むように形成される。縦枠部４０の上先端は、上面カバー部６０の裏面に当接しない。このため、中央部屋１１の上部周囲は、外部と通気可能に開放されている。また、中央部屋１１の外周には、縦壁４１と側面カバー部７０と上面カバー部６０とによって囲まれた通気路１２が形成される（図５参照）。この通気路１２は、中央部屋１１の上部周囲と連通している。従って、機械室１２０と熱交換器室１３０とは、中央部屋１１および通気路１２を介して連通する。
【００３２】
室外機１の作動中においては、機械室１２０内がエンジンの作動によって高温となるが、同時に作動している熱交換用ファン１３２により機械室１２０の熱気が吸引される。この場合、機械室１２０の熱気は、図５に示すように、換気用開口１１１を介して中央部屋１１に入り、中央部屋１１の上部周囲から通気路１２に送られる。そして、熱気は、通気路１２を下方に向かって流れた後に熱交換器室１３０に排出され、熱交換用ファン１３２により吸い込まれて機外に排出される。
【００３３】
熱交換器室１３０には、雨水等の水滴が入ることがある。換気口ユニット１０に水滴が落下した場合、その水滴は、上カバー５０の上面および側面で受け止められるため、通気路１２を通って中央部屋１１内に入ることはない。また、中央部屋１１内に台座ネジ部９１が設けられているため、台座ネジ部９１に水滴がかかることはない。従って、ネジ８１の貫通する部分から水が機械室１２０に浸入することはない。また、水平板枠部３０がシール材８３を介して仕切り板１１０の上面に密着固定されるため、水平板枠部３０と仕切り板１１０の上面との隙間から水が機械室１２０に浸入することもない。
【００３４】
また、カバーネジ部９２に関しても、上部縦壁４１ａが水の浸入防止壁として機能するため、ネジ８２の貫通する部分から水が中央部屋１１に浸入することはない。つまり、上部縦壁４１ａの先端の高さ位置が、支持部４２と貫通孔７５とが接触する位置よりも高いため、水が貫通孔７５から浸入して支持部４２の上面４２ａを伝わったとしても、水は、上部縦壁４１ａを乗り越えることができず、支持部４２の側面から落下する。
【００３５】
以上説明した本実施形態の空調装置の室外機１によれば、換気口ユニット１０の台座ネジ部９１が中央部屋１１内に臨むよう設けられているため、台座ネジ部９１にコーキング処理を施す必要がない。また、上カバー５０を下台座２０に固定するカバーネジ部９２に関しても、下台座２０に貫通孔７５よりも高い位置にまで延びた上部縦壁４１ａが形成されているため、貫通孔７５に浸入した水の中央部屋１１への入り込みが防止される。従って、カバーネジ部９２にコーキング処理を施す必要がない。この結果、コーキング処理が一切不要となり、低コスト化を図ることができる。また、換気口ユニット１０のシール性能を向上させることができる。また、上部縦壁４１ａは、水の浸入防止機能だけでなく上カバー５０を下台座２０に組み付けるときのガイド片として機能するため、上カバー５０の組み付け時における位置決めが容易となる。比較例として、従来装置の換気口ユニット２００においては、上カバー２２０を下台座２１０に組み付ける場合、４つの貫通孔２２４の位置が、それぞれ支持柱２１４のネジ孔２１５に整合するように上カバー２２０を配置する必要があり、本実施形態に比べて組み付けにくい。
【００３６】
以上、本実施形態に係る空調装置の室外機について説明したが、本発明は上記実施形態に限定されるものではなく、本発明の目的を逸脱しない限りにおいて種々の変更が可能である。
【００３７】
例えば、図６に示すように、上カバー５０と下台座２０との取付位置を変更した構成であってもよい。この換気口ユニット１０’は、支持部４２’が上カバー５０の下側面壁７３に当接する位置にまで外方向に延びて形成されるとともに、支持部４２’に水平方向にネジ孔４３’が形成されている。このネジ孔４３’は、支持部４２’の外側面４２ｂに開口している。また、上カバー５０の下側面壁７３には、上カバー５０を下台座２０に固定するための貫通孔７５’が形成されている。この貫通孔７５’は、上カバー５０の中段水平載置壁７２ａを支持部４２’に載置したときにネジ孔４３’と整合する位置に設けられる。上カバー５０は、中段水平載置壁７２ａを支持部４２’に載置した状態で、ネジ８２を貫通孔７５’に挿通して締め付けることにより、ネジ８２がネジ孔４３’に螺合して、上カバー５０が下台座２０の支持部４２’に支持固定される。
【００３８】
この変形例では、貫通孔７５’よりも高い位置（貫通孔７５’の上端よりも高い位置）にまで延びた支持部４２’の外側面４２ｂが壁となって、貫通孔７５’に浸入した水の中央部屋１１への浸入を防止する。つまり、貫通孔７５’に接触する支持部４２’の外側面４２ｂの上部によって、貫通孔７５’に浸入した水が支持部４２’の上面４２ａ’に伝わることを防止する。従って、この変形例では、実施形態の上部縦壁４１ａが形成されていなくてもよい。これにより、変形例においても、カバーネジ部９２’にコーキング処理を施す必要がない。
【００３９】
また、本発明は、コーキング処理を一切不要とするものに限るものではなく、下台座２０を仕切り板１１０に固定する台座ネジ部９１のコーキング処理のみを不要とするものであってもよい。例えば、下台座２０を仕切り板１１０に固定する台座ネジ部の構成を実施形態と同様とし、上カバー５０を下台座２０に取り付ける構成については従来装置のようにしてもよい。この場合であっても、従来装置に比べてコーキング処理の数を低減することができる。
【００４０】
また、本実施形態および変形例の換気口ユニット１０，１０’は、平面視で四角形に形成されているが、四角形に限るものではなく、その他の多角形、円形、楕円形などであってもよい。また、本実施形態においては、中央部屋１の回り全体に通気路１２が形成されるが、通気路は中央部屋の全周に形成されるものに限らず、中央部屋の特定の側面にのみ形成されるものであってもよい。
【符号の説明】
【００４１】
１…室外機、１０，１０’…換気口ユニット、１１…中央部屋、１２…通気路、２０…下台座、３０…水平板枠部、３１…開口、３２…貫通孔、４０…縦枠部、４１…縦壁、４１ａ…上部縦壁、４２，４２’…支持部、４２ａ，４２ａ’…上面、４２ｂ…外側面、４３，４３’…ネジ孔、５０…上カバー、６０…上面カバー部、７０…側面カバー部、７１…上側面壁、７１ａ…上凹側面壁、７２…中段水平壁、７２ａ…中段水平載置壁、７３…下側面壁、７４…連結用凹部、７５、７５’…貫通孔、８１…ネジ、８２…ネジ、８３…シール材、９１…台座ネジ部、９２…カバーネジ部、１００…室外機、１０１…本体ケーシング、１１０…仕切り板、１１１…換気用開口、１１３…貫通孔、１２０…機械室、１３０…熱交換器室。
【図１】
2015007508.tif 000003
【図２】
2015007508.tif 000004
【図３】
2015007508.tif 000005
【図４】
2015007508.tif 000006
【図５】
2015007508.tif 000007
【図６】
2015007508.tif 000008
【図７】
2015007508.tif 000009
【図８】
2015007508.tif 000010
【図９】
2015007508.tif 000011
【図１０】
2015007508.tif 000012
【図１１】
2015007508.tif 000013